(57)【要約】【課題】ネットワーク内に階層化して分散配置されている分散管理ステーションのリソース情報データベースから、リソース情報を取得する手続きを簡略化する階層型リソース監視システムを得る。【解決手段】階層を構成する最上位の統括管理ステーションＭ１から、離れた階層の分散管理ステーションＤ４に所属する管理ノードＮ４のリソース情報を取得したい場合に、統括管理ステーションＭ１の一段階下位層の分散管理ステーションＤ２にリソース情報を問い合わせるだけで、分散管理ステーションＤ２から下位層の分散管理ステーションＤ４に要求が伝えられ、分散管理ステーションＤ４からの管理ノードＮ４のリソース情報に関する回答は、分散管理ステーションＤ２を経由して、統括管理ステーションＭ１に伝えられるようにした。【選択図】図５
2010108156.tif 000002
【特許請求の範囲】
【請求項１】
ネットワーク内に分散配置された管理ノードのリソース情報を収集する階層型リソース監視システムであって、
上記ネットワークに接続され、階層化された複数の分散管理ステーション、
及び複数の上記分散管理ステーションのいずれかにそれぞれ接続された複数の管理ノードを備え、
上記各分散管理ステーションは、自ステーションに接続された上記管理ノードのリソース情報が格納されたリソース情報データベースと、上記分散管理ステーションの階層情報が格納された分散管理データベースとが接続されるとともに、
上記自ステーションに接続された管理ノードからリソース情報を収集して上記リソース情報データベースに格納するリソース情報収集部と、
下位層の上記分散管理ステーションに、対象管理ノードと対象リソース情報種別を指定したリソース情報を要求し、上記下位層の分散管理ステーションから要求したリソース情報を取得するリソース情報通信部と、
上位層の上記分散管理ステーションから対象管理ノードと対象リソース情報種別が指定されたリソース情報の要求を受け、該当するリソース情報を取得して上記上位層の分散管理ステーションに転送するリソース情報転送部と、
上記リソース情報転送部からの要求に応じて、上記分散管理データベースを検索し、上記要求対象の管理ノードが自ステーションに接続されている場合には、上記リソース情報データベースの該当するリソース情報を上記リソース情報転送部に回答するとともに、上記要求対象の管理ノードが下位層の分散管理ステーションに接続されている場合には、上記リソース情報通信部を介して、上記該当する下位層の分散管理ステーションから該当するリソース情報を取得し、上記リソース情報転送部に回答するテーブル合成部とを有することを特徴とする階層型リソース監視システム。
【発明の詳細な説明】
【技術分野】
【０００１】
この発明は、ネットワーク内に分散されたパーソナルコンピュータやワークステーション等における性能情報や稼働情報等のリソース情報を収集する階層型リソース監視システムに関するものである。
【背景技術】
【０００２】
例えば特許文献１に記載された従来の技術では、分散配置された管理ステーションに接続されたデータベースに資源情報が分散配置され、上位層の管理ステーションが、下位層の管理ステーションに所属する管理ノードのリソース情報を取得したい場合、その管理ノードが直属する管理ステーションに直接通信して、該当するリソース情報を要求する必要があった。
【０００３】
【特許文献１】特開２００１−３４４２２７号公報（第３〜５頁、図１）
【発明の開示】
【発明が解決しようとする課題】
【０００４】
特許文献１に記載された従来技術では、各管理ノードのリソース情報が直属の管理ステーションに配置されている。このため、情報の取得のためには、要求元は階層的に接続された全分散管理ステーションの中から、該当する直属の分散管理ステーションを検索し、階層を越えてその分散管理ステーションと直接通信する複雑な手続きが必要であるという問題があった。
【０００５】
この発明は、上述のような課題を解決するためになされたものであり、ネットワーク内に階層化して分散配置されている分散管理ステーションのリソース情報データベースから、リソース情報を取得する手続きを簡略化する階層型リソース監視システムを得ることを目的にしている。
【課題を解決するための手段】
【０００６】
この発明に係わる階層型リソース監視システムにおいては、ネットワーク内に分散配置された管理ノードのリソース情報を収集する階層型リソース監視システムであって、
ネットワークに接続され、階層化された複数の分散管理ステーション、
及び複数の分散管理ステーションのいずれかにそれぞれ接続された複数の管理ノードを備え、
各分散管理ステーションは、自ステーションに接続された管理ノードのリソース情報が格納されたリソース情報データベースと、分散管理ステーションの階層情報が格納された分散管理データベースとが接続されるとともに、
自ステーションに接続された管理ノードからリソース情報を収集してリソース情報データベースに格納するリソース情報収集部と、
下位層の分散管理ステーションに、対象管理ノードと対象リソース情報種別を指定したリソース情報を要求し、下位層の分散管理ステーションから要求したリソース情報を取得するリソース情報通信部と、
上位層の分散管理ステーションから対象管理ノードと対象リソース情報種別が指定されたリソース情報の要求を受け、該当するリソース情報を取得して上位層の分散管理ステーションに転送するリソース情報転送部と、
リソース情報転送部からの要求に応じて、分散管理データベースを検索し、要求対象の管理ノードが自ステーションに接続されている場合には、リソース情報データベースの該当するリソース情報をリソース情報転送部に回答するとともに、要求対象の管理ノードが下位層の分散管理ステーションに接続されている場合には、リソース情報通信部を介して、該当する下位層の分散管理ステーションから該当するリソース情報を取得し、リソース情報転送部に回答するテーブル合成部とを有するものである。
【発明の効果】
【０００７】
この発明は、以上説明したように、ネットワーク内に分散配置された管理ノードのリソース情報を収集する階層型リソース監視システムであって、
ネットワークに接続され、階層化された複数の分散管理ステーション、
及び複数の分散管理ステーションのいずれかにそれぞれ接続された複数の管理ノードを備え、
各分散管理ステーションは、自ステーションに接続された管理ノードのリソース情報が格納されたリソース情報データベースと、分散管理ステーションの階層情報が格納された分散管理データベースとが接続されるとともに、
自ステーションに接続された管理ノードからリソース情報を収集してリソース情報データベースに格納するリソース情報収集部と、
下位層の分散管理ステーションに、対象管理ノードと対象リソース情報種別を指定したリソース情報を要求し、下位層の分散管理ステーションから要求したリソース情報を取得するリソース情報通信部と、
上位層の分散管理ステーションから対象管理ノードと対象リソース情報種別が指定されたリソース情報の要求を受け、該当するリソース情報を取得して上位層の分散管理ステーションに転送するリソース情報転送部と、
リソース情報転送部からの要求に応じて、分散管理データベースを検索し、要求対象の管理ノードが自ステーションに接続されている場合には、リソース情報データベースの該当するリソース情報をリソース情報転送部に回答するとともに、要求対象の管理ノードが下位層の分散管理ステーションに接続されている場合には、リソース情報通信部を介して、該当する下位層の分散管理ステーションから該当するリソース情報を取得し、リソース情報転送部に回答するテーブル合成部とを有するので、ある起点の分散管理ステーションが離れた階層の分散管理ステーションに所属する管理ノードのリソース情報を取得したい場合でも、起点分散管理ステーションの一段下位層の分散管理ステーションにリソース情報を問い合わせるだけで、各階層の分散管理ステーションに要求が伝搬し、また、逆をたどって回答が返信され、複雑な手続きの必要なく、簡単に取得できるという効果がある。
【発明を実施するための最良の形態】
【０００８】
実施の形態１．
以下、実施の形態１について図を用いて詳細に説明する。
図１は、この発明の実施の形態１による階層型リソース監視システムを示すシステム構成図である。
図１において、統括管理ステーション１０１は、階層構造の最上位に位置するステーションであり、階層的に通信接続された複数の分散管理ステーション２０１ａ、２０１ｂ…２０１ｎとネットワークを構成している。統括管理ステーション１０１及び各分散管理ステーション２０１には監視対象となる管理ノード１３０が接続されている。管理ノード１３０は、例えばパーソナルコンピュータやワークステーション、サーバなどの計算機である。
【０００９】
統括管理ステーション１０１および分散管理ステーション２０１は、それぞれ後述する、リソース情報表示編集部１０２と、リソース情報転送部１０３と、テーブル合成部１０４と、リソース情報通信部１０５と、リソース情報収集部１０６とを有している。
また、統括管理ステーション１０１および分散管理ステーション２０１には、それぞれ、リソース情報データベース１１０および分散管理データベース１１２が接続されている。
リソース情報データベース１１０には、管理ノード１３０のリソース情報を有するリソース情報テーブル１１１が格納されており、分散管理データベース１１２には、分散管理ステーション２０１とこれに接続された管理ノード１３０を有する分散管理テーブル１１３が格納されている。
また、統括管理ステーション１０１および分散管理ステーション２０１には、それぞれ、リソース情報の表示と編集用に、表示部１２１と入力部１２２が接続されている。
【００１０】
リソース情報表示編集部１０２には、表示部１２１と入力部１２２が接続され、リソース情報の表示と編集を行う。リソース情報転送部１０３は、ネットワークに接続され、リソース情報をネットワークへ転送する。テーブル合成部１０４は、リソース情報テーブル１１１と分散管理テーブル１１３の情報を参照し、要求されたリソース情報を取得する。リソース情報通信部１０５は、下位層の分散管理ステーションへ通信接続されている。リソース情報収集部１０６は、管理ノード１３０からリソース情報を収集し、リソース情報テーブル１１１を更新する。
【００１１】
図２は、この発明の実施の形態１による階層型リソース監視システムのリソース情報表示編集部の処理を示すフローチャートである。
図３は、この発明の実施の形態１による階層型リソース監視システムのリソース情報転送部の処理を示すフローチャートである。
図４は、この発明の実施の形態１による階層型リソース監視システムのテーブル合成部の処理を示すフローチャートである。
【００１２】
図５は、この発明の実施の形態１による階層型リソース監視システムのネットワーク構成例を示す構成図である。
図５において、統括管理ステーションＭ１を最上位にして、その下位層として、分散管理ステーションＤ１〜Ｄ４が配置され、下位層の分散管理ステーションＤ１〜Ｄ４には、それぞれに管理ノードＮ１〜Ｎ６が接続されている。これらの分散管理ステーションには、それぞれリソース情報データベース（ＤＢ）が接続されている。
【００１３】
図６は、図５に示すネットワーク構成例における分散管理ステーションＤ４のリソース情報テーブルを示す図である。
図６において、分散管理ステーションＤ４のリソース情報テーブルは、管理ステーション名称をＤ４とし、これに所属する管理ノード名称Ｎ４、Ｎ５を示し、さらにＣＰＵ負荷、メモリ消費量などのリソース情報種別と、これに対するリソース情報値を示している。
【００１４】
図７は、図５に示すネットワーク構成例における統括管理ステーションＭ１の分散管理テーブルを示す図である。
図７において、統括管理ステーションＭ１の分散管理テーブルは、統括管理ステーションＭ１の１段階下位層の分散管理ステーションと、それに所属する管理ノードを示している。管理ノード名称Ｎ１〜Ｎ６が直属する分散管理ステーションではなく、管理ノードが所属する分散管理ステーションの最上位（統括管理ステーションＭ１より１段階下位層）の分散管理ステーション名称のＤ１〜Ｄ３を示している。
【００１５】
図８は、図５に示すネットワーク構成例における分散管理ステーションＤ２の分散管理テーブルを示す図である。
図８において、分散管理ステーションＤ２の分散管理テーブルは、分散管理ステーションＤ２の下位の分散管理ステーションに所属する管理ノードが示されている。分散管理ステーション名称としてＤ２と、Ｄ２の１段階下位層であるＤ４を示し、それぞれに所属する管理ノード名称Ｎ３〜Ｎ５を示している。すなわち、管理ノードＮ３〜Ｎ５が所属する分散管理ステーションのうちの最上位（分散管理ステーションＤ２または分散管理ステーションＤ２より１段階下位層）のものを示している。ここでは、管理ノードＮ３が分散管理ステーションＤ２に所属し、管理ノードＮ４、Ｎ５が、分散管理ステーションＤ４に所属している。
【００１６】
図９は、図５に示すネットワーク構成例における分散管理ステーションＤ４の分散管理テーブルを示す図である。
図９において、分散管理ステーションＤ４の分散管理テーブルは、分散管理ステーション名称としてＤ４を示し、これに所属する管理ノード名称Ｎ４、Ｎ５を示している。ここでは、分散管理ステーションＤ４は、下位層を持たないので、分散管理ステーション名称としてＤ４のみが示されている。
【００１７】
図１０は、図５に示すネットワーク構成例における各管理ステーションの管理ノードのリソース情報の表示例を示す図である。
図１０において、統括管理ステーションＭ１及び分散管理ステーションＤ１〜Ｄ４の表示部に、それぞれ関連する管理ノードＮ１〜Ｎ６を表示したものを示している。自管理ステーションの管理ノードと、下位層管理ステーションの管理ノードを表示している。
【００１８】
以下、実施の形態１の動作について、図２〜図１０を用いて説明する。
まず、図５に示すネットワーク構成において、統括管理ステーションＭ１の表示部１２１に分散管理ステーションＤ４に所属する管理ノードＮ４のリソース情報（ＣＰＵ負荷）を表示する際の動作について説明する。
オペレータは、統括管理ステーションＭ１（１０１）の入力部１２２から管理ノードＮ４のリソース情報の表示要求を行い、リソース情報表示編集部１０２がこれを受け付ける。
【００１９】
次に、図２により、統括管理ステーションＭ１のリソース情報表示編集部１０２の処理について説明する。
図２のＳＴ１において、入力部１２２から管理ノードＮ４のリソース情報要求を取得し、ＳＴ２に進む。このとき、パラメータとして、リソース種別＝ＣＰＵ負荷、管理ノード名＝Ｎ４が渡される。ＳＴ２では、テーブル合成部１０４にリソース情報の取得を要求し、ＳＴ３に進む。このとき、パラメータとして、リソース種別＝ＣＰＵ負荷、管理ノード名＝Ｎ４が渡される。
ＳＴ３では、要求に応じてテーブル合成部１０４によって取得されたリソース情報を、テーブル合成部１０４から取得し、ＳＴ４に進む。ＳＴ４では、取得したリソース情報を表示部１２１に表示する。
【００２０】
次に、図４を用いて、統括管理ステーションＭ１のテーブル合成部１０４の処理について説明する。
まず、図４のＳＴ２１にて、リソース情報要求を受け付ける。今回の例では、パラメータとして、リソース種別＝ＣＰＵ負荷、管理ノード名＝Ｎ４を受け取り、ＳＴ２２に進む。ＳＴ２２では、分散管理テーブル１１３を参照し、要求された管理ノードが所属する分散管理ステーション名を取得し、ＳＴ２３に進む。
今回の例における統括管理ステーションＭ１の分散管理テーブル１１３は、図７に示すとおりで、図７より、ＳＴ２２では、管理ノードＮ４が所属する管理ステーション名称として、Ｄ２が得られる。ここで、図７の分散管理テーブル例では、管理ノードＮ４、Ｎ５の管理ステーション名称がＤ２になっていることに注意されたい。
【００２１】
図５に示すネットワーク構成図では、管理ノードＮ４、Ｎ５の直属の分散管理ステーションはＤ４であるが、Ｄ４は上位層の分散管理ステーションＤ２に所属しており、統括管理ステーションＭ１から見た場合の管理ノードＮ４の最上位の分散管理ステーションはＤ２であり、分散管理テーブルの分散管理ステーション名称には、各管理ノードが直属する分散管理ステーションではなく、最上位の分散管理ステーション名を格納するようにしている。
これにより、統括管理ステーションＭ１は、管理ノードＮ４のリソース情報が知りたい場合でも、１階層下の分散管理ステーションＤ２に問い合わせするだけでよく、さらに下位層の分散管理ステーションＤ４まで問い合わせする必要がなくなる。
【００２２】
ＳＴ２３では、該分散管理ステーション名称が自分散管理ステーション名称かどうか判断し、ＹＥＳの場合はＳＴ２４へ進み、ＮＯの場合はＳＴ２６に進む。
今回の例では、自分散管理ステーション名はＭ１、要求の分散管理ステーション名はＤ２であるから、ＳＴ２６に進む。ＳＴ２６では、当該の最上位の分散管理ステーションＤ２のリソース情報転送部１０３に管理ノードＮ４のリソース情報（ＣＰＵ負荷）を要求し、ＳＴ２７に進む。ＳＴ２７では、分散管理ステーションＤ２から当該リソース情報を取得し、ＳＴ２５に進む。ＳＴ２５では、取得したリソース情報を要求元に返答する。
【００２３】
次に、図３を用いて、リソース情報転送部１０３の処理について説明する。今回は、分散管理ステーションＤ２のリソース情報転送部１０３の動きについて説明する。
まず、図３のＳＴ１１において、統括管理ステーションＭ１からのリソース情報要求を受信し、ＳＴ１２に進む。この時のパラメータは、リソース種別＝ＣＰＵ負荷、管理ノード名＝Ｎ４である。ＳＴ１２では、テーブル合成部１０４にリソース情報取得を要求し、ＳＴ１３に進む。この際のパラメータは、リソース種別＝ＣＰＵ負荷、管理ノード名＝Ｎ４である。
ＳＴ１３では、テーブル合成部１０４から該当するリソース情報の返答を受け取り、ＳＴ１４に進む。ＳＴ１４では、このリソース情報を要求元の分散管理ステーション、今回の例では、統括管理ステーションＭ１に返信する。
【００２４】
次に、図４を用いて、分散管理ステーションＤ２のテーブル合成部１０４の動作を説明する。
ＳＴ２１において、リソース情報転送部１０３からの要求を受け付ける。今回の例では、パラメータは、リソース種別＝ＣＰＵ負荷、管理ノード名＝Ｎ４である。ＳＴ２２にて、分散管理テーブル１１３を参照し、該当する管理ノードが所属する最上位の分散管理ステーション名を取得してＳＴ２３に進む。今回の例のおける、分散管理ステーションＤ２の分散管理テーブルは、図８に示すとおりで、図８では、管理ノードＮ４の所属する分散管理ステーション名はＤ４である。自分散管理ステーション名はＤ２であることから、ＳＴ２３からＳＴ２６に進む。
ＳＴ２６では、分散管理ステーションＤ４のリソース情報転送部１０３にリソース情報を要求し、ＳＴ２７に進む。ＳＴ２７では、分散管理ステーションＤ４のリソース情報転送部１０３から該当するリソース情報を取得し、ＳＴ２５に進む。ＳＴ２５では、取得したリソース情報を自分散管理ステーションＤ２のリソース情報転送部１０３に返答する。
【００２５】
次に、分散管理ステーションＤ４のリソース情報転送部１０３の動作について図３を用いて説明する。
図３のＳＴ１１において、分散ステーションＤ２からのリソース情報要求を受信し、ＳＴ１２に進む。この時のパラメータは、リソース種別＝ＣＰＵ負荷、管理ノード名＝Ｎ４である。ＳＴ１２では、テーブル合成部１０４にリソース情報取得を要求し、ＳＴ１３に進む。この際のパラメータは、リソース種別＝ＣＰＵ負荷、管理ノード名＝Ｎ４である。
ＳＴ１３では、テーブル合成部１０４から該当するリソース情報の返答を受け取り、ＳＴ１４に進む。ＳＴ１４では、該当するリソース情報を要求元の分散管理ステーションに、今回の例では、分散管理ステーションＤ２に返信する。
【００２６】
次に、図４を用いて、分散管理ステーションＤ４のテーブル合成部１０４の動作について説明する。
図４において、ＳＴ２１では、リソース情報転送部１０３からの要求を受け付ける。今回の例では、パラメータは、リソース種別＝ＣＰＵ負荷、管理ノード名＝Ｎ４である。ＳＴ２２にて、分散管理テーブル１１３を参照し、該当する管理ノードが所属する最上位の分散管理ステーション名を取得してＳＴ２３に進む。分散管理ステーションＤ４の分散管理テーブル１１３は、図９に示すとおりで、図９から、管理ノードＮ４が所属する分散管理ステーション名はＤ４であることが判る。ＳＴ２３では、自分散管理ステーション名がＤ４、ＳＴ２２で得られた分散管理ステーション名がＤ４であるから、条件判定結果はＹＥＳとなり、ＳＴ２４に進む。
【００２７】
ＳＴ２４では、自分散管理ステーションＤ４のリソース情報テーブル１１１から管理ノードＮ４のリソース情報（ＣＰＵ負荷）の値を取得する。今回の例における、分散管理ステーションＤ４のリソース情報テーブル１１１の例は、図６に示すとおりで、図６より、管理ノードＮ４のＣＰＵ負荷は、１５％であることが判る。ＳＴ２５にて、リソース情報（１５％）を要求元のリソース情報転送部に返答する。
したがって、リソース情報（ＣＰＵ負荷＝１５％）が階層を逆に辿って、最初の要求元である統括管理ステーションＭ１のリソース情報表示編集部１０２に順次返答され、表示部１２１に表示される。
【００２８】
これらをまとめると、図１０に示すように、統括管理ステーションＭ１は、管理ノードＮ１〜Ｎ６のリソース情報を表示することが可能であるが、実際にはＮ１〜Ｎ６は統括管理ステーションＭ１の直属ではないため、１段階下位層の分散管理ステーションＤ１、Ｄ２、Ｄ３に各管理ノードのリソース情報を要求する。
管理ノードＮ１、Ｎ２のリソース情報は、分散管理ステーションＤ１に要求する。管理ノードＮ３、Ｎ４、Ｎ５のリソース情報は、分散管理ステーションＤ２に要求する。管理ノードＮ６のリソース情報は、分散管理ステーションＤ３に要求する。
【００２９】
分散管理ステーションＤ１は、要求された管理ノードＮ１、Ｎ２が直属であるため、自リソース情報テーブルに格納されている管理ノードＮ１、Ｎ２のリソース情報を統括管理ステーションＭ１に返答する。
分散管理ステーションＤ３も同様に、管理ノードＮ６が直属のため、自リソース情報テーブルに格納されているＮ６の情報を統括管理ステーションＭ１に返答する。
一方、分散管理ステーションＤ２は、管理ノードＮ３は直属であるため、自リソース情報テーブルに格納されているリソース情報を返答できるが、管理ノードＮ４、Ｎ５は直属ではないため、分散管理ステーションＤ２から１段階下位層の分散管理ステーションＤ４に管理ノードＮ４、Ｎ５のリソース情報を問い合わせする。
分散管理ステーションＤ４は、要求された管理ノードＮ４、Ｎ５が直属のため、自リソース情報テーブルから該当するリソース情報を取得して、上位層に返答する。
【００３０】
実施の形態１によれば、ネットワーク内に複数の管理ステーションが階層的に分散している構成において、ある起点の分散管理ステーションから最下位層の分散管理ステーションに所属する管理ノードのリソース情報を取得したい場合でも、起点分散管理ステーションの一段階下位層の分散管理ステーションにリソース情報を問い合わせるだけで、各階層の分散管理ステーションに要求が伝搬され、また、逆をたどって回答が返信されるようにしたことにより、離れた階層の管理ノードのリソース情報でも複雑な手続きをとる必要がなく、簡単に取得できるという効果がある。
【図面の簡単な説明】
【００３１】
【図１】この発明の実施の形態１による階層型リソース監視システムを示すシステム構成図である。
【図２】この発明の実施の形態１による階層型リソース監視システムのリソース情報表示編集部の処理を示すフローチャートである。
【図３】この発明の実施の形態１による階層型リソース監視システムのリソース情報転送部の処理を示すフローチャートである。
【図４】この発明の実施の形態１による階層型リソース監視システムのテーブル合成部の処理を示すフローチャートである。
【図５】この発明の実施の形態１による階層型リソース監視システムのネットワーク構成例を示す構成図である。
【図６】図５に示すネットワーク構成例における分散管理ステーションＤ４のリソース情報テーブルを示す図である。
【図７】図５に示すネットワーク構成例における統括管理ステーションＭ１の分散管理テーブルを示す図である。
【図８】図５に示すネットワーク構成例における分散管理ステーションＤ２の分散管理テーブルを示す図である。
【図９】図５に示すネットワーク構成例における分散管理ステーションＤ４の分散管理テーブルを示す図である。
【図１０】図５に示すネットワーク構成例における各管理ステーションの管理ノードのリソース情報の表示例を示す図である。
【符号の説明】
【００３２】
１０１  統括管理ステーション
１０２  リソース情報表示編集部
１０３  リソース情報転送部
１０４  テーブル合成部  
１０５  リソース情報通信部
１０６  リソース情報収集部
１１０  リソース情報データベース
１１１  リソース情報テーブル
１１２  分散管理データベース
１１３  分散管理テーブル
１２１  表示部
１２２  入力部
１３０  管理ノード
２０１  分散管理ステーション
【図１】
2010108156.tif 000003
【図２】
2010108156.tif 000004
【図３】
2010108156.tif 000005
【図４】
2010108156.tif 000006
【図５】
2010108156.tif 000007
【図６】
2010108156.tif 000008
【図７】
2010108156.tif 000009
【図８】
2010108156.tif 000010
【図９】
2010108156.tif 000011
【図１０】
2010108156.tif 000012